【手続補正書】
【提出日】平成25年7月1日(2013.7.1)
【手続補正１】
【補正対象書類名】特許請求の範囲
【補正対象項目名】全文
【補正方法】変更
【補正の内容】
【特許請求の範囲】
【請求項１】
手術部位から組織を除去または切除するための外科用バーにおいて、
互いに向き合った近位端および遠位端を有する細長シャフトであって、前記シャフトの前記近位端は、前記シャフトを回転することができる外科用ツールに連結するように形作られている、細長シャフトと、
前記シャフトの前記遠位端に取り付けられたバーヘッドであって、前記バーヘッドは、互いに向き合った近位端および遠位端であって、前記バーヘッドの前記近位端は前記シャフトの前記遠位端と隣接している近位端および遠位端と、前記バーヘッドの前記近位端および遠位端間を延在している長軸と、複数の溝とを有しており、各溝は、
前記バーヘッドの前記長軸から外方に延在し、溝切刃を画定する外端を有している、すくい面と、
前記溝切刃から隣接する溝に向かって円弧状に延在するカム面とを有している、バーヘッドと、
を備えており、
少なくとも１つの溝は、前記カム面から外方に延在すると共に前記カム面の一部を横切って円弧状に延在する少なくとも１つのリブを有するように、さらに形成されており、前記少なくとも１つのリブは、前記バーヘッドの前記長軸と交差する面における断面において、前記カム面から頂部へ外方に延在しており、前記頂部は、前記バーヘッドの前記長軸から半径方向に最も離間している前記リブの部分であり、また前記少なくとも１つのリブは、前記頂部から近位側においては、前記リブが前記リブの近位側および遠位側の両方に位置している前記カム面の部分から半径方向外方に延在するように、内方に延在して前記カム面まで戻ることを特徴とする外科用バー。
【請求項２】
前記少なくとも１つの溝は、前記リブが前端を有するようにさらに形成され、且つ前記リブの前記前端の頂部が前記溝切刃から円弧状に離間するように形成されていることを特徴とする、請求項１に記載の外科用バー。
【請求項３】
前記少なくとも１つの溝は、前記すくい面から前記カム面に延在する逃げ面を有するように、さらに形成されており、前記すくい面および前記逃げ面は、前記溝切刃を形成する界面を有しており、
前記少なくとも１つのリブは、前記逃げ面と前記カム面との間の界面から外方に延在する前端を有していることを特徴とする、請求項１または２に記載の外科用バー。
【請求項４】
前記逃げ面は、前記バーヘッドの長さに沿って延在していることを特徴とする、請求項３に記載の外科用バー。
【請求項５】
前記逃げ面は、前記バーヘッドの前記近位端から遠位側、すなわち、前方の位置から前方に延在していることを特徴とする、請求項３に記載の外科用バー。
【請求項６】
前記逃げ面は、前記バーヘッド遠位端の近位側、すなわち、後方の位置から後方に延在していることを特徴とする、請求項３〜５のいずれか１つに記載の外科用バー。
【請求項７】
前記少なくとも１つの溝は、前記すくい面から前記カム面に延在する逃げ面を有するように、さらに形成されており、前記すくい面および前記逃げ面は、前記溝切刃を形成する界面を有しており、
前記少なくとも１つのリブは、前記逃げ面と前記カム面との間の界面から外方に延在する前端を有しており、
前記リブが存在していない前記バーヘッドの前記長軸と直交する共通面内において、前記すくい面および前記逃げ面は、切刃が前記バーヘッドの前記長軸から第１の距離を隔てて配置されるように、切刃を画定しており、前記カム面は、前記バーヘッドの前記長軸から第２の距離を隔てて配置されており、前記第２の距離は、前記第１の距離よりも小さくなっていることを特徴とする、請求項１，２，３，４，５または６のいずれか１つに記載の外科用バー。
【請求項８】
前記バーヘッドは、前記バーヘッドの長さに沿って変化する直径を有しており、
前記少なくとも１つの溝は、前記リブが前記バーヘッドが最大直径を有する位置において前記カム面から外方に延在するように、形成されていることを特徴とする、請求項１，２，３，４，５，６または７のいずれか１つに記載の外科用バー。
【請求項９】
前記少なくとも１つの溝は、前記切刃から離間した前記カム面の端から内方に延在するクリアランス面をさらに備えており、前記クリアランス面は、隣接する溝の前記すくい面に延在していることを特徴とする、請求項１，２，３，４，５，６，７または８のいずれか１つに記載の外科用バー。
【請求項１０】
リブを有する前記少なくとも１つの溝は、前記リブが前記カム面を横切って前記クリアランス面まで延在するように、形成されていることを特徴とする、請求項９に記載の外科用バー。
【請求項１１】
前記少なくとも１つの溝は、前記カム面上において長手方向に互いに離間している複数のリブを有するように形成されていることを特徴とする、請求項１，２，３，４，５，６，７，８，９または１０のいずれか１つに記載の外科用バー。
【請求項１２】
前記少なくとも１つの溝は、円弧に沿って互いに離間している前記複数のリブを有するように形成されていることを特徴とする、請求項１，２，３，４，５，６，７，８，９，１０または１１のいずれか１つに記載の外科用バー。
【請求項１３】
前記バーヘッドは、球状、円筒状、ドングリヘッド状、バレルヘッド状、銃弾ヘッド状、卵状、西洋ナシ状、およびドラム状を含む群から選択された１つの形状を有していることを特徴とする、請求項１，２，３，４，５，６，７，８，９，１０，１１または１２のいずれか１つに記載の外科用バー。
【請求項１４】
前記シャフトには、前記バーが連結される前記外科用ツールによって係合される刻み目が形成されていることを特徴とする、請求項１，２，３，４，５，６，７，８，９，１０，１１，１２または１３のいずれか１つに記載の外科用バー。
【請求項１５】
前記シャフトと前記バーヘッドとの間に位置するネックをさらに備えており、前記ネックは、前記シャフトの直径よりも小さくて前記ネックが取り付けられる前記バーヘッドの前記隣接部分よりも大きい直径を有していることを特徴とする、請求項１，２，３，４，５，６，７，８，９，１０，１１，１２，１３または１４のいずれか１つに記載の外科用バー。
【請求項１６】
各カム面の少なくとも一部は、前記カム面および関連するすくい面が１つになって前記溝の前記溝切刃の少なくとも一部を画定するように、前記すくい面に当接していることを特徴とする、請求項１，２，３，４，５，６，７，８，９，１０，１１，１２，１３，１４または１５のいずれか１つに記載の外科用バー。
【請求項１７】
前記バーヘッドは、２つのみの溝を有しており、各溝は、少なくとも１つの前記リブを有していることを特徴とする、請求項１，２，３，４，５，６，７，８，９，１０，１１，１２，１３，１４，１５または１６のいずれか１つに記載の外科用バー。
【請求項１８】
前記バーヘッドは、前記溝が前記バーヘッドの前記長軸の周りに対称的に配置され、各溝が少なくとも１つの前記リブを有するように、形成されていることを特徴とする、請求項１，２，３，４，５，６，７，８，９，１０，１１，１２，１３，１４，１５，１６または１７のいずれか１つに記載の外科用バー。
【請求項１９】
前記リブが前記カム面の遠位部分から前記リブの前記頂部に向かって外方に延在している箇所において、前記リブはまた近位側にも延在していることを特徴とする、請求項１，２，３，４，５，６，７，８，９，１０，１１，１２，１３，１４，１５，１６，１７または１８のいずれか１つに記載の外科用バー。
【請求項２０】
前記リブが前記リブの前記頂部から内方に延在している箇所において、前記リブはまた近位側にも延在していることを特徴とする、請求項１，２，３，４，５，６，７，８，９，１０，１１，１２，１３，１４，１５，１６，１７，１８または１９のいずれか１つに記載の外科用バー。
【請求項２１】
前記バーヘッドの前記長軸と交差する前記面において、前記リブは湾曲形状を有していることを特徴とする、請求項１，２，３，４，５，６，７，８，９，１０，１１，１２，１３，１４，１５，１６，１７，１８，１９または２０のいずれか１つに記載の外科用バー。